(57)【要約】【課題】  撮影領域、感度領域、静磁場中心領域等の間の位置関係を容易に把握することができ、常に好適な配置にて撮影可能とすることで、撮り直しを防止することができる磁気共鳴イメージング装置を提供すること。【解決手段】  磁気的シールドルーム内の異なる位置に設置された、位置決め用高周波を発生する少なくとも４つの位置決め高周波送信器と、高周波受信コイルに設けられ、位置決め用高周波を受信する位置決め高周波受信アンテナと、位置決め高周波が各高周波送信器送信され位置決め高周波受信コイルにより受信されるまでの時間に基づいて、高周波コイルの配置位置を計算する計算手段とを具備する磁気共鳴イメージング装置である。得られた配置位置と磁場中心との相対的な位置関係は撮影者に提示され、高周波受信コイルの位置は配置位置に基づいて制御される。【選択図】      図１
2005118460.tif 000002
【特許請求の範囲】
【請求項１】
磁気的シールドルーム内に設置され、磁石が発生する静磁場内に配置された被検体に発生した磁気共鳴信号を受信し、当該磁気共鳴信号に基づいて磁気共鳴画像を生成する磁気共鳴イメージング装置であって、
前記被検体を搭載し、当該被検体を前記静磁場内に配置するための寝台と、
前記寝台を長手方向に駆動する駆動手段と、
前記被検体表面に配置され、当該被検体に発生した前記磁気共鳴信号を受信する高周波コイルと、
前記磁気的シールドルーム内の異なる位置に設置され、位置決め用高周波を発生する少なくとも３つの位置決め高周波送信手段と、
前記高周波コイルに設けられ、前記位置決め用高周波を受信する少なくとも１つの位置決め高周波受信手段と、
前記位置決め用高周波が前記各高周波送信手段から送信され前記位置決め高周波受信手段によって受信されるまでの各時間に基づいて、前記高周波コイルの配置位置を計算する計算手段と、
前記静磁場の中心位置と、前記計算によって得られた前記配置位置とが一致しない場合には、前記中心位置と前記配置位置とが一致するように前記駆動手段を制御する制御手段と、
を具備することを特徴とする磁気共鳴イメージング装置。
【請求項２】
磁気的シールドルーム内に設置され、磁石が発生する静磁場内に配置された被検体に発生した磁気共鳴信号を受信し、当該磁気共鳴信号に基づいて磁気共鳴画像を生成する磁気共鳴イメージング装置であって、
前記被検体を搭載し、当該被検体を前記静磁場内に配置するための寝台と、
前記寝台を長手方向に駆動する駆動手段と、
前記被検体表面に配置され、当該被検体に発生した前記磁気共鳴信号を受信する高周波コイルと、
前記高周波コイルの異なる位置に設置され、位置決め用高周波を発生する少なくとも４つの位置決め高周波送信手段と、
前記磁気的シールドルーム内に設置され、前記位置決め用高周波を受信する少なくとも３つの位置決め高周波受信手段と、
前記位置決め用高周波が前記各高周波送信手段から送信され前記位置決め高周波受信手段によって受信されるまでの各時間に基づいて、前記高周波コイルの配置位置を計算する計算手段と、
前記静磁場の中心位置と、前記計算によって得られた前記配置位置とが一致しない場合には、前記中心位置と前記配置位置とが一致するように前記駆動手段を制御する制御手段と、
を具備することを特徴とする磁気共鳴イメージング装置。
【請求項３】
少なくとも前記配置位置と前記中心位置との相対的な位置関係を含む撮影セッティング情報を提示する提示手段とさらに具備することを特徴とする請求項１又は２記載の磁気共鳴イメージング装置。
【請求項４】
高周波コイルの種類毎の感度領域を記憶する記憶手段をさらに具備し、
前記提示手段は、前記高周波コイルに関する感度領域と、少なくとも前記配置位置と、前記中心位置と、の相対的な位置関係を含む撮影セッティング情報を提示すること、
を特徴とする請求項３記載の磁気共鳴イメージング装置。
【請求項５】
前記提示手段は、位置決め撮影によって決定される撮影領域と、少なくとも前記配置位置と、前記中心位置と、の相対的な位置関係を含む撮影セッティング情報を提示すること、
を特徴とする請求項３記載の磁気共鳴イメージング装置。
【請求項６】
前記制御手段は、撮影者のマニュアル操作に応答して前記制御を行うことを特徴とする請求項１乃至５のうちいずれか一項記載の磁気共鳴イメージング装置。
【発明の詳細な説明】
【技術分野】
【０００１】
本発明は、撮影時における高周波受信コイルの位置を自動的に設定可能な磁気共鳴イメージング（Ｍａｇｎｅｔｉｃ  Ｒｅｓｏｎａｎｃｅ  Ｉｍａｇｉｎｇ：ＭＲＩ）装置に関する。
【背景技術】
【０００２】
磁気共鳴イメージング装置は、固有の磁気モーメントを持つ核の集団が一様な静磁場中に置かれたときに、特定の周波数で回転する高周波磁場のエネルギーを共鳴的に吸収する現象を利用して、物質の化学的及び物理的な微視的情報を映像化し、あるいは化学シフトスペクトラムを観測する装置である。
【０００３】
この磁気共鳴イメージング装置による診断画像の撮影は、例えば次のようにして実行される。すなわち、磁石により形成される静磁場と傾斜磁場コイルにより形成される傾斜磁場とからなる合成磁場の中心位置、その表面に受信用高周波コイルを設置した診断部位を配置する。この様にセッティングされた被検体に対して、まず、診断部位を含む撮影領域について、位置決め画像の撮影（パイロットスキャン）を行う。得られた位置決め画像に対して撮影位置を決定し、当該撮影位置において磁気共鳴現象を発生させるための所定周波数の高周波を印加する。印加された高周波により、被検体において磁気共鳴信号が発生し、これを受信用高周波コイルにより受信し画像化することで、診断画像を得ることができる。
【０００４】
この様に、磁気共鳴イメージング装置での撮影においては、受信用高周波コイルを設置した診断部位が合成磁場の中心位置配置されていると仮定としている。従って、当該仮定通り、受信用高周波コイルを設置した診断部位が合成磁場の中心位置に配置されている場合には、受信用高周波コイルの感度領域と合成磁場の中心位置とを対応させることができ、好適な撮影を実行することができる。
【０００５】
しかしながら、受信用高周波コイルを設置した診断部位が合成磁場の中心位置等に正しく配置されない場合、受信用高周波コイルが小さい場合、受信用高周波コイルにマルチコイルを使用する場合等においては、受信用高周波コイルの感度領域と
合成磁場の中心位置とが対応していないことがある。係る場合には、コイルの感度領域が撮影領域外となることがあり、その結果、撮影に失敗したり撮り直しを強いられる可能性がある。
【０００６】
また、実際の撮影においては、受信用高周波コイルの感度領域が撮影領域外となることを防止するため、まず、ある程度広い撮影領域にてパイロットスキャンを行い、受信用高周波コイルの感度領域をカバーするように、徐々に撮影領域を狭くしつつ撮影プランを立てる作業が行われる場合がある。係る場合には、撮影時間の長期化を招くことになり、撮影者、被撮影者に負担を与えることになる。
【０００７】
さらに、従来のシステムでは、架台の開口部において、光学的手段により例えば受信用高周波コイルの位置と所定の基準位置とを位置合わせした後、自動的に当該架台内に所定量送り込む方式にて、診断部位を合成磁場中心位置等に配置している。従って、精度の点において十分とは言えず、また、撮影セッティングされた状態での受信コイルの感度領域、被撮影者の診断部位（関心領域）、合成磁場中心領域等の間の相互の位置関係を確認することはできない。
【発明の開示】
【発明が解決しようとする課題】
【０００８】
本発明は、上記事情を鑑みてなされたもので、撮影領域、感度領域、静磁場中心領域等の間の位置関係を容易に把握することができ、常に好適な配置にて撮影可能とすることで、撮り直しを防止することができる磁気共鳴イメージング装置を提供することを目的としている。
【課題を解決するための手段】
【０００９】
本発明は、上記目的を達成するため、次のような手段を講じている。
【００１０】
本発明の第１の視点は、磁気的シールドルーム内に設置され、磁石が発生する静磁場内に配置された被検体に発生した磁気共鳴信号を受信し、当該磁気共鳴信号に基づいて磁気共鳴画像を生成する磁気共鳴イメージング装置であって、前記被検体を搭載し、当該被検体を前記静磁場内に配置するための寝台と、前記寝台を長手方向に駆動する駆動手段と、前記被検体表面に配置され、当該被検体に発生した前記磁気共鳴信号を受信する高周波コイルと、前記磁気的シールドルーム内の異なる位置に設置され、位置決め用高周波を発生する少なくとも３つの位置決め高周波送信手段と、前記高周波コイルに設けられ、前記位置決め用高周波を受信する少なくとも１つの位置決め高周波受信手段と、前記位置決め用高周波が前記各高周波送信手段から送信され前記位置決め高周波受信手段によって受信されるまでの各時間に基づいて、前記高周波コイルの配置位置を計算する計算手段と、前記静磁場の中心位置と、前記計算によって得られた前記配置位置とが一致しない場合には、前記中心位置と前記配置位置とが一致するように前記駆動手段を制御する制御手段と、を具備することを特徴とする磁気共鳴イメージング装置である。
【００１１】
本発明の第２の視点は、磁気的シールドルーム内に設置され、磁石が発生する静磁場内に配置された被検体に発生した磁気共鳴信号を受信し、当該磁気共鳴信号に基づいて磁気共鳴画像を生成する磁気共鳴イメージング装置であって、前記被検体を搭載し、当該被検体を前記静磁場内に配置するための寝台と、前記寝台を長手方向に駆動する駆動手段と、前記被検体表面に配置され、当該被検体に発生した前記磁気共鳴信号を受信する高周波コイルと、前記高周波コイルの異なる位置に設置され、位置決め用高周波を発生する少なくとも４つの位置決め高周波送信手段と、前記磁気的シールドルーム内に設置され、前記位置決め用高周波を受信する少なくとも３つの位置決め高周波受信手段と、前記位置決め用高周波が前記各高周波送信手段から送信され前記位置決め高周波受信手段によって受信されるまでの各時間に基づいて、前記高周波コイルの配置位置を計算する計算手段と、前記静磁場の中心位置と、前記計算によって得られた前記配置位置とが一致しない場合には、前記中心位置と前記配置位置とが一致するように前記駆動手段を制御する制御手段と、を具備することを特徴とする磁気共鳴イメージング装置である。
【発明の効果】
【００１２】
以上本発明によれば、撮影領域、感度領域、静磁場中心領域等の間の位置関係を容易に把握することができ、常に好適な配置にて撮影可能とすることで、撮り直しを防止することができる磁気共鳴イメージング装置を実現できる。
【発明を実施するための最良の形態】
【００１３】
以下、本発明の実施形態を図面に従って説明する。なお、以下の説明において、略同一の機能及び構成を有する構成要素については、同一符号を付し、重複説明は必要な場合にのみ行う。
【００１４】
図１は、本実施形態に係る磁気共鳴イメージング装置１０の構成図を示している。まず、同図に示すように、本磁気共鳴イメージング装置１０は、静磁場磁石１１、冷却系制御部１２、傾斜磁場コイル１３、高周波送信コイル１４、高周波受信コイル１５、寝台制御部１６、送信部１８、受信部１９、計算機システム２０、高周波発振部３０Ａ乃至３０Ｄを具備している。
【００１５】
静磁場磁石１１は、静磁場を発生する磁石であり、一様な静磁場を発生する。この静磁場磁石１１には、例えば永久磁石、超伝導磁石等が使用される。
【００１６】
傾斜磁場コイル１３により、図示しない被検体に一様な静磁場と、互いに直交するＸ，Ｙ，Ｚの三方向に線形傾斜磁場分布を持つ傾斜磁場が印加される。なお、Ｚ軸方向は、本実施形態では静磁場の方向と同方向にとるものとする。
【００１７】
冷却系制御部１２は、静磁場磁石１１の冷却機構を制御する。
【００１８】
傾斜磁場コイル１３は、静磁場磁石１１の内側に設けられ、且つ静磁場磁石１１よりも短軸であり、傾斜磁場コイル装置電源１７から供給されるパルス電流を傾斜磁場に変換する。この傾斜磁場コイル１３が発生する傾斜磁場によって、信号発生部位（位置）が特定される。
【００１９】
なお、本実施形態において、傾斜磁場コイル１３及び静磁場磁石１１は円筒形をしているものとする。また、傾斜磁場コイル１３は、所定の支持機構によって真空中に配置される。これは、静音化の観点から、パルス電流の印加によって発生する傾斜磁場コイル１３の振動を、音波として外部に伝播させないためである。
【００２０】
高周波送信コイル（ＲＦ送信コイル）１４は、被検体の撮像領域に対して、磁気共鳴信号を発生させるための高周波パルスを印加するためのコイルである。
【００２１】
高周波受信コイル（ＲＦ受信コイル）１５は、被検体の近傍、好ましくは密着させた状態で当該被検体を挟むように設置され、被検体から磁気共鳴を受信するためのコイルである。当該高周波受信コイル１５は、一般的には、部位別に専用の形状を有する。
【００２２】
なお、図１では、高周波送信コイルと高周波受信コイルとを別体とするクロスコイル方式を例示したが、これらを一つのコイルで兼用するシングルコイル方式を採用する構成であってもよい。
【００２３】
寝台制御部１６は、制御部２０４からの判断・指令のもと、寝台Ｂを長手方向に移動させる。特に、寝台制御部１６は、撮影セッティングにおいて、コイル位置計算部２０５によって計算されたコイル位置と、磁石１１が形成する静磁場とコイル１４が形成する傾斜磁場とからなる合成磁場の中心位置と、が一致するように、寝台Ｂを長手方向に移動させる。
【００２４】
送信部１８は、発振部、位相選択部、周波数変換部、振幅変調部、高周波電力増幅部（それぞれ図示せず）を有しており、ラーモア周波数に対応する高周波パルスを送信用高周波コイルに送信する。当該送信によって高周波送信コイル１４から発生した高周波によって、被検体の所定原子核の磁化は、励起状態となる。
【００２５】
受信部１９は、生体信号受信部１９０と位置信号受信部１９１とを具備している。生体信号受信部１９０は、増幅部、中間周波数変換部、位相検波部、フィルタ、Ａ／Ｄ変換器（それぞれ図示せず）を有する。生体信号受信部１９０は、高周波コイル１４から受信した、核の磁化が励起状態から基底状態に緩和するとき放出する磁気共鳴信号（高周波信号）に対して、増幅処理、発信周波数を利用した中間周波数変換処理、位相検波処理、フィルタ処理、Ａ／Ｄ変換処理を施す。位置信号受信部１９１は、各高周波発信部３０Ａ乃至３０Ｄから送信された高周波が受信コイル１４のＧＰＳ用アンテナ１４０に到達するまでの時間を測定し、計算機システム２０に送り出す。
【００２６】
データ処理部２０は、受信後のデータを処理して磁気共鳴画像を生成する計算機システムであり、記憶部２０１、データ収集部２０２、再構成部２０３、制御部２０４、コイル位置計算部２０５、表示部２０６、入力部２０７を有している。
【００２７】
記憶部２０１は、受信部１９を介して得られた再構成前の磁気共鳴信号データ、再構成後の磁気共鳴画像データ等を患者毎に記憶する。また、記憶部２０１は、受信コイル１４毎の基準位置（各受信コイルの感度領域を象徴する位置）及び感度領域に関するデータ、予め計測された各高周波発信部３０Ａ、３０Ｂ、３０Ｃ、３０Ｄから合成磁場中心までの距離データ等を記憶する。
【００２８】
データ収集部２０２は、受信部１９によってサンプリングされたディジタル信号を収集する。
【００２９】
再構成部２０３は、データ収集部２０２によって収集されたデータに対して、後処理すなわちフーリエ変換等の再構成等を実行し、被検体内の所望核スピンのスペクトラムデータあるいは画像データを求める。
【００３０】
制御部２０４は、図示していないＣＰＵ、メモリ等を有しており、システム全体の制御中枢として、本磁気共鳴イメージング装置を静的又は動的に制御する。また、制御部２０４は、撮影セッティングにおいて、コイル位置計算部２０５によって計算されたコイルの基準位置と、磁石１１が形成する静磁場とコイル１４が形成する傾斜磁場とからなる合成磁場の中心位置とのずれを計算し、両者が一致するように、寝台制御部１２を制御する。また、制御部２０４は、撮影に先だって実行されるパイロットスキャンにより得られる撮影領域、受信コイル１４の感度領域、合成磁場中心位置（又は合成磁場中心領域）等の間の相対的な位置関係を管理し、表示部２０６に表示する。
【００３１】
コイル位置計算部２０５は、各高周波発信部３０Ａ乃至３０Ｄから発射された高周波が受信コイル１４のＧＰＳ用アンテナ１４０に到達するまでの各時間に基づいて、受信コイル１４の基準位置を計算する。なお、コイル位置計算部２０５が実行する位置計算は、本磁気共鳴イメージング装置１０が有する疑似ＧＰＳ機能を利用するものである。この疑似ＧＰＳ機能の内容については、後で詳しく説明する。
【００３２】
表示部２０６は、計算機システム２２から入力したスペクトラムデータあるいは画像データ等を表示する出力手段である。また、表示部２０６は、断層画像と当該断層画像の撮影の際に使用された位置決め画像とを、同時に表示する。また、表示部２０６は、パイロットスキャンにより得られる撮影領域、受信コイル１４の感度領域、合成磁場中心位置（又は合成磁場中心領域）等の間の相対的な位置関係を、必要に応じて所定の形式にて表示する。
【００３３】
入力部２０７は、オペレータからの各種指示・命令・情報をとりこむため入力装置（マウスやトラックボール、モード切替スイッチ、キーボード等）を有している。
【００３４】
高周波発信部３０Ａ、３０Ｂ、３０Ｃ、３０Ｄは、それぞれシールドルーム内の異なる位置に設けられ、撮影に影響しない程度の高周波を発信する。
【００３５】
（疑似ＧＰＳ機能を用いた受信コイルの位置調節）
本磁気共鳴イメージング装置はＧＰＳ（Ｇｒｏｂａｌ  Ｐｏｓｉｔｉｏｎｉｎｇ  Ｓｙｓｔｅｍ：全地球測位システム）と類似の疑似ＧＰＳ機能を有している。この機能について、以下説明する。
【００３６】
図２は、本磁気共鳴イメージング装置が有する疑似ＧＰＳ機能を説明するための図である。図２に示すように、本疑似ＧＰＳ機能は、受信コイル１４に設けられたＧＰＳ用アンテナ１４０と、高周波発信部３０Ａ、３０Ｂ、３０Ｃ、３０Ｄと、位置信号受信部１９１と、コイル位置計算部２０５と、によってＧＰＳ部分が構成される。
【００３７】
本ＧＰＳ部分によって、例えば次の様にして受信コイル１４の位置測定が実行される。すなわち、各高周波発信部３０Ａ、３０Ｂ、３０Ｃ、３０Ｄから発射された高周波がＧＰＳ用アンテナ１４０に到達するまでの時間を、位置信号受信部１９１によって測定する。コイル位置計算部２０５は、得られた各時間に対し光速ｃを積算することで、受信コイル１４の基準位置から各高周波発信部３０Ａ、３０Ｂ、３０Ｃ、３０Ｄまでの距離を得る。この測定された距離と、予め計測された各高周波発信部３０Ａ、３０Ｂ、３０Ｃ、３０Ｄから合成磁場中心までの距離とを比較することにより、両者間の位置のずれ量を計算することができる。
【００３８】
なお、受信コイル１４の三次元空間座標を求める場合、未知数が三つであるにも関わらず、上記の如く高周波発信部３０Ａ、３０Ｂ、３０Ｃ、３０Ｄからの四つの到達時間が必要であるのは、送信側の時計と受信側の時計との誤差Ｅを求めるためである。
【００３９】
すなわち、上記システムにおいては、受信コイル１４の位置を正確に求めるためには、各高周波発信部３０Ａ、３０Ｂ、３０Ｃ、３０Ｄから発射された高周波がＧＰＳ用アンテナ１４０に到達するまでの時間を正確に測定する必要がある。そのためには、高周波送信側（各高周波発信部３０Ａ、３０Ｂ、３０Ｃ、３０Ｄ）と高周波受信側（受信コイル１４）とで把握する時間が、一致している必要がある。
【００４０】
しかしながら、医療機器において一般に実装可能な時計を使用した場合には、高周波送信側の時計と高周波受信側の時計との間において、無視できない誤差Ｅが発生すると考えられる。高周波送信側の時計は全て一致しているとした場合、この誤差Ｅは、全ての高周波発信部３０Ａ、３０Ｂ、３０Ｃ、３０Ｄに対して、同じだけ存在すると考えられる。
【００４１】
従って、未知数を受信コイル１４の三次元空間座標と誤差Ｅとし、これらを求めて誤差Ｅを考慮した補正することで、正確な位置を把握することとしている。
【００４２】
なお、本磁気共鳴イメージング装置１０では、人工衛星を使用する一般のＧＰＳと異なり、高周波送信側と高周波受信側とを同一の制御部２０４にて制御可能である（図１参照）。従って、位置計測のための高周波送信の直前等に、高周波送信側の時計と高周波受信側の時計とを一致させる制御を行えば、高周波発信部を三つとする構成を採用することもできる。
【００４３】
また、本疑似ＧＰＳ機能を実現するシステムは上記例に限らず、例えば図２において送信側と受信側とを入れ替えた構成によっても実現することができる。
【００４４】
図３は、本磁気共鳴イメージング装置１０の変形例に関する構成図を示している。
【００４５】
図４は、本疑似ＧＰＳ機能を実現する他の例を示した図である。図３、４に示すように、本疑似ＧＰＳ機能は、受信コイル１４に設けられた高周波発信部１４２と、シールドルーム内に設けられた高周波受信部３１Ａ、３１Ｂ、３１Ｃ、３１ＤによってＧＰＳ部分が構成される。
【００４６】
本ＧＰＳ部分によって、例えば次の様にして受信コイル１４の位置測定が実行される。すなわち、高周波発信部１４２から発射された高周波が各高周波受信部３１Ａ、３１Ｂ、３１Ｃ、３１Ｄに到達するまでの時間を、位置信号受信部１９１によって測定する。コイル位置計算部２０５は、得られた各時間に対し光速ｃを積算することで、受信コイル１４（又はその基準位置）から各高周波受信部３１Ａ、３１Ｂ、３１Ｃ、３１Ｄまでの距離を得ることができる。
【００４７】
なお、図３、図４に示した例においても、高周波送信側の時計と高周波受信側の時計とを一致させる制御を行えば、高周波受信部を三つとすることが可能である点は、図２の場合と同様である。
【００４８】
（撮影動作）
次に、本磁気共鳴イメージング装置１０が実現する一連の撮影動作について説明する。図５は、本撮影動作において実行される処理の流れを示したフローチャートである。
【００４９】
まず、被検体の寝台への搭載、当被検体の診断部位対応させた受信コイル１４の設置等の撮影セッティングを行う（ステップＳ１）。
【００５０】
次に、静磁場磁石１１の開口部において、投光器により受信コイル１４の基準位置と所定の基準位置とを位置合わせし（ステップＳ２）、自動的な寝台移動によって当該架台内に所定量送り込む（ステップＳ３）。
【００５１】
ステップＳ３による寝台移動が終了し当該寝台が停止した状態において、上記疑似ＧＰＳ機能による受信コイル１４の基準位置の位置計測を行う（ステップＳ４）。この位置計測によって、受信コイル１４の基準位置と合成磁場の中心位置との間にずれがあるか否かを判断し（ステップＳ５）、両者の間にずれがある場合には、寝台位置の微調整が実行される（ステップＳ６）。
【００５２】
寝台位置の微調整が実行されると、又はステップＳ５において基準位置と合成磁場の中心位置との間にずれがないと判断された場合には、撮影セッティングが完了し、通常の撮影動作が実行される（ステップＳ７）。
【００５３】
なお、本磁気共鳴イメージング装置１０によれば、ステップＳ４以降においては、必要に応じて、少なくとも受信コイル１４の感度領域（又はコイルの配置）、合成磁場の中心位置等の間の相対的な位置関係を、所定の形式にて表示することができる。これにより、撮影者は、現在の撮影セッティングが好適であるか否かを人目で判断することができる。
【００５４】
以上述べた構成によれば、以下の効果を得ることができる。
【００５５】
本磁気共鳴イメージング装置によれば、疑似ＧＰＳ機能により、受信コイルの基準位置と合成磁場の中心位置とが一致するように微調整することができる。従って、好適な撮影セッティングを容易に実現することができる。その結果、撮り直しを防止することができ、撮影者・被撮影者の精神的及び肉体的な負担を軽減させることができる。
【００５６】
また、本磁気共鳴イメージング装置によれば、疑似ＧＰＳ機能により取得した受信コイルの配置位置（感度領域）、撮影領域、合成磁場中心領域等の間の位置関係を容易に把握することができる。従って、撮影者は、現在の受信コイルの配置位置を確認することができる。その結果、撮り直しを防止することができ、撮影者・被撮影者の精神的及び肉体的な負担を軽減させることができる。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】図１は、本磁気共鳴イメージング装置１０の構成図を示している。
【図２】図２は、本磁気共鳴イメージング装置１０に係る疑似ＧＰＳ機能を実現する例を示した図である。
【図３】図３は、本磁気共鳴イメージング装置１０の変形例に関する構成図を示している。
【図４】図４は、本磁気共鳴イメージング装置１０に係る疑似ＧＰＳ機能を実現する他の例を示した図である。
【図５】図５は、本磁気共鳴イメージング装置１０の撮影動作において実行される処理の流れを示したフローチャートである。
【符号の説明】
【００５９】
１０…磁気共鳴イメージング装置、１１…静磁場磁石、１２…冷却系制御部、１３…傾斜磁場コイル、１４…高周波送信コイル、１５…高周波受信コイル、１６…寝台制御部、１８…送信部、１９…受信部、２０…データ処理部、３０Ａ、３０Ｂ、３０Ｃ、３０Ｄ…高周波発信部、３１Ａ、３１Ｂ、３１Ｃ、３１Ｄ…高周波受信部、１４０…ＧＰＳ用アンテナ、１４２…高周波発信部、１９０…生体信号受信部、１９１…位置信号受信部、２０１…記憶部、２０２…データ収集部、２０３…再構成部、２０４…制御部、２０５…コイル位置計算部、２０６…表示部、２０７…入力部、２０８…位置信号受信部
【図１】
2005118460.tif 000003
【図２】
2005118460.tif 000004
【図３】
2005118460.tif 000005
【図４】
2005118460.tif 000006
【図５】
2005118460.tif 000007